(57)【特許請求の範囲】
【請求項１】
透明なカバーガラスを嵌着したケースと、該ケースに内蔵されたモジュールと、前記カバーガラスの下面側に配設された透光性のソーラー表示板と、該ソーラー表示板からの外光を受光面に受けて発電するソーラーセルとを備えたソーラー時計の表示装置構造において、前記ソーラーセルの上方に、該ソーラーセルの色調と補色の関係にある色調を有する前記ソーラー表示板を、前記ソーラーセルとは別部材で配設したことを特徴とするソーラー時計の表示装置構造。
【請求項２】
透明なカバーガラスを嵌着したケースと、該ケースに内蔵されたモジュールと、前記カバーガラスの下面側に配設された透光性のソーラー表示板と、該ソーラー表示板からの外光を受光面に受けて発電するソーラーセルとを備えたソーラー時計の表示装置構造において、前記ソーラーセルと前記ソーラー表示板との間に光を透過する中間部材を配設し、前記中間部材と前記ソーラー表示板とを前記ソーラーセルとは別部材で配置すると共に、前記中間部材の色調を、前記ソーラーセルの色調と補色の関係にある色調と成したことを特徴とするソーラー時計の表示装置構造。
【請求項３】
透明なカバーガラスを嵌着したケースと、該ケースに内蔵されたモジュールと、前記カバーガラスの下面側に配設された透光性のソーラー表示板と、該ソーラー表示板からの外光を受光面に受けて発電するソーラーセルとを備えたソーラー時計の表示装置構造において、前記ソーラーセルと前記ソーラー表示板との間に光を透過する中間部材を配設し、前記中間部材と前記ソーラー表示板とを前記ソーラーセルとは別部材で配置すると共に、前記中間部材の色調を、前記ソーラー表示板の色調と補色の関係にある色調と成したことを特徴とするソーラー時計の表示装置構造。
【請求項４】
前記ソーラー表示板は、前記ソーラーセルを有する前記モジュールを前記ケースに固定するための中枠に固定されていることを特徴とする請求項１記載のソーラー時計の表示装置構造。
【請求項５】
前記中間部材は、前記ソーラーセルを有する前記モジュールを前記ケースに固定するための中枠に固定されていることを特徴とする請求項２又は請求項３に記載のソーラー時計の表示装置構造。
【請求項６】
前記中枠の前記ソーラー表示板固定面は、前記ソーラーセルの色調と同一色調からなることを特徴とする請求項４又は５に記載のソーラー時計の表示装置構造。
【請求項７】
前記中間部材は、前記ソーラー表示板と前記中枠との間で固定されると共に、前記中間部材と前記ソーラー表示板の間、前記中間部材と前記中枠の間の少なくとも１つに干渉模様を防止するためのスペーサーを配設したことを特徴とする請求項２から請求項３又は請求項５から６のいずれかに記載のソーラー時計の表示装置構造
。
【発明の詳細な説明】
【０００１】
【発明の属する技術分野】
本発明は、太陽電池付機器に係わり、特に、腕時計の様に表示部とソーラーセルとを備えたソーラー時計の表示装置構造に関する。
【０００２】
【従来の技術】
従来から、太陽電池（ソーラーセル）を内蔵することによってソーラーセルの発電により動作するように構成された各種の電子機器が用いられている。例えば、ソーラーセルを内蔵した太陽電池式時計がある。この腕時計は、ソーラーセルの受光面積を十分に確保するために、表示板が配置された下面にソーラーセルの受光面を配置したものが多い。
【０００３】
図４及び図５は、従来のソーラーセルを備えたソーラー時計を示し、図４は外観を示す平面図、図５は表示装置構造を示す要部断面図である。図４及び図５において、ソーラー時計１０は、時計ケース１の上面に嵌着されたカバーガラス２と、カバーガラス２の下面に透光性のソーラー表示板３と、該ソーラー表示板３の下面にソーラーセル４と、前記ソーラー表示板３とソーラーセル４を固定する中枠５と、前記ケース１の内部で中枠５を介して取り付けられるモジュール６と、前記ソーラー表示板３とカバーガラス２との間でモジュール６から突出した指針取付軸７に取着された指針８と裏蓋９から構成されている。
【０００４】
近年、前記ソーラーセル４の発電効率の向上が目ざましく、通常の表示板面積で透過率が３０％以上得られれば時計を駆動あるいは充電するのに十分満足なる発電量が得られると言われている。このソーラーセル４の色調は独特の濃紫色を呈しており、この色調は表示板の外観を暗くさせている。
【０００５】
また、所定の電圧・電流を確保するため、ソーラーセルがいくつかの素子に分割されている例が多く、電池部分と分割線部分の材質の違いから光の屈折率が異なり前記分割線が見えやすい。
【０００６】
そこで、ソーラーセル特有の濃紫色の色調及びソーラーセルの分割線が見た目に少しでも違和感の感じないようにするために、ソーラー表示板には透過率及びソーラーセル発電に支障のない範囲でカラー着色した樹脂、例えば、グレー樹脂、ブラック樹脂が使用されている。
【０００７】
【発明が解決しようとする課題】
しかしながら、上記した構造に有っては、ソーラー表示板はソーラーセルが表示板の下側に設けられているため、光の透過率を上げるとソーラーセルの独特の濃紫色や分割線が透光性の表示板を通して見えてしまい時計の外観イメージを著しく低下させる。濃紫色や分割線が見え難くするために樹脂に混合する顔料の量を多くすると、光の透過率が悪くなりソーラーセルの発電効率が低下する。
【０００８】
そこで、ソーラーセルの濃紫色による違和感を少なくし、ソーラーセルの十分な発電量を確保できるソーラー時計の表示装置構造の出現が課題になる。
【０００９】
本発明は上記従来の課題に鑑みなされたものであり、十分な発電量が確保でき、ソーラーセルの濃紫色が目立たないソーラー時計の表示装置構造を提供するものである。
【００１０】
【課題を解決するための手段】
上記目的を達成するために、本発明におけるソーラー時計の表示装置構造は、透明なカバーガラスを嵌着したケースと、該ケースに内蔵されたモジュールと、前記カバーガラスの下面側に配設された透光性のソーラー表示板と、該ソーラー表示板からの外光を受光面に受けて発電するソーラーセルとを備えたソーラー時計の表示装置構造において、前記ソーラーセルの上方に、該ソーラーセルの色調と補色の関係にある色調を有する前記ソーラー表示板を、前記ソーラーセルとは別部材で配設したことを特徴とするものである。
【００１１】
また、透明なカバーガラスを嵌着したケースと、該ケースに内蔵されたモジュールと、前記カバーガラスの下面側に配設された透光性のソーラー表示板と、該ソーラー表示板からの外光を受光面に受けて発電するソーラーセルとを備えたソーラー時計の表示装置構造において、前記ソーラーセルと前記ソーラー表示板との間に光を透過する中間部材を配設し、前記中間部材と前記ソーラー表示板とを前記ソーラーセルとは別部材で配置すると共に、前記中間部材の色調を、前記ソーラーセルの色調と補色の関係にある色調と成したことを特徴とするものである。
【００１２】
また、透明なカバーガラスを嵌着したケースと、該ケースに内蔵されたモジュールと、前記カバーガラスの下面側に配設された透光性のソーラー表示板と、該ソーラー表示板からの外光を受光面に受けて発電するソーラーセルとを備えたソーラー時計の表示装置構造において、前記ソーラーセルと前記ソーラー表示板との間に光を透過する中間部材を配設し、前記中間部材と前記ソーラー表示板とを前記ソーラーセルとは別部材で配置すると共に、前記中間部材の色調を、前記ソーラー表示板の色調と補色の関係にある色調と成したことを特徴とするものである。
【００１３】
また、前記ソーラー表示板は、ソーラーセルを有するモジュールを時計ケースに固定するための中枠に固定されていることを特徴とするものである。
【００１４】
また、前記中間部材は、前記ソーラーセルを有する前記モジュールを前記ケースに固定するための中枠に固定されていることを特徴とするものである。
【００１５】
また、前記中枠の前記ソーラー表示板固定面は、前記ソーラーセルの色調と同一色調からなることを特徴とするものである。
【００１６】
また、前記中間部材は、前記ソーラー表示板と前記中枠との間で固定されると共に、前記中間部材と前記ソーラー表示板の間、前記中間部材と前記中枠の間の少なくとも１つに干渉模様を防止するためのスペーサーを配設したことを特徴とするものである。
【００１７】
【発明の実施の形態】
以下図面に基づいて本発明におけるソーラー時計の表示装置構造について説明する。図１は、本発明の第１の実施の形態に係わるソーラー時計の表示装置構造を示す要部断面図である。従来技術と同一部材は同一符号で示す。
【００１８】
図１において、透明なカバーガラス２を嵌着したケース１と、該ケース１に内蔵されたモジュール６と、前記カバーガラス２の下面に配設された透光性のソーラー表示板３と、該ソーラー表示板３からの外光を受光面に受けて発電するソーラーセル４と、ソーラー表示板３を固定する中枠５と、前記ケース１の内部で中枠５を介して取り付けられるモジュール６とを備えたソーラー時計の表示装置構造において、後述するソーラーセル４の上方に光を透過しソーラーセル４の色調と補色の関係にある色調のソーラー表示板３を配設するものである。ソーラー表示板３は、外周に設けられた複数の切欠き３ａに中枠５の外周に設けられた複数の突起５ａに係合され固定されている。
【００１９】
上記したソーラーセル４の色と補色関係にあるソーラー表示板３の色として、例えば、日本色研配色体系（ＰＣＣＳ）の色相環２４色相で、ソーラーセル４（色相環の２１：ｂＰ−ブルーイッシュ・ブルー、青みの紫）と補色の関係にあるソーラー表示板３（色相環の９：ｇＹ−グリーニッシュ・イエロー、緑みの黄）を配設すると、明度が低下するので、ソーラーセル４の色調が視認し難くなる。
この時、中枠５の色は、ソーラーセル４の同色調とする。
【００２０】
ここで、補色とは、上記した色相環上で向かい合った色をその色の補色と言います。例えば、「赤」色相環の２：Ｒに対しては、真向かいにある「青緑」色相環の１５：ＢＧが補色となる。
【００２１】
以上述べた構成により、ソーラーセル４と補色関係にあるソーラー表示板３を配設することにより、ソーラー時計１０のカバーガラス２側からソーラー表示板３を見ると、ソーラーセル４の明度が低下するので、ソーラーセル４の独特の濃紫色は目立たなくなり違和感を感じさせない色調に仕立てることができる。
【００２２】
図２は、本発明の第２の実施の形態に係わるソーラー時計の表示装置構造を示す要部断面図である。
【００２３】
図１で説明した第１の実施の形態と異なるところは、前記ソーラーセル４とソーラー表示板３との間に、光を透過し前記ソーラーセル４の色と補色の関係にある色の中間部材１１を配設したことである。
【００２４】
上記したソーラーセル４の色調と中間部材１１の色として、上記した日本色研配色体系（ＰＣＣＳ）の色相環２４色相で、ソーラーセル４（色相環の２１：ｂＰ−ブルーイッシュ・ブルー、青みの紫）と補色の関係にある中間部材１１（色相環の９：ｇＹ−グリーニッシュ・イエロー、緑みの黄）を配設すると、前述した第１の実施の形態と同様に、明度が低下するので、ソーラーセル４の色調が視認し難くなる。この時、ソーラー表示板３は透明部材である。ソーラーセルの特有の濃紫色は目立たなくなり違和感を感じさせない色調に仕立てることができる。
【００２５】
図３は、本発明の第３の実施の形態に係わるソーラー時計の表示装置構造を示す要部断面図である。
【００２６】
図２と異なるところは、中間部材１１とソーラー表示板３との間に後述するスペーサを配設し、前記ソーラーセル４とソーラー表示板３との間に、光を透過し前記ソーラー表示板３の色と補色の関係にある色の中間部材１１を配設したことである。
【００２７】
上記した中間部材１１とソーラー表示板３の色として、上記した日本色研配色体系（ＰＣＣＳ）の色相環２４色相で、中間部材１１（色相環の５：Ｏ−オレンジ、だいだい）と補色の関係にあるソーラー表示板３（色相環の１７：Ｂ−ブルー、青）を配設すると、前述した第１及び第２の実施の形態と同様に、明度が低下するので、ソーラーセル４の色調が視認し難くなる。ソーラーセルの特有の濃紫色は目立たなくなり違和感を感じさせない色調に仕立てることができる。
尚、ソーラー時計１０のカバーガラス２側からソーラー表示板３を見ると、ソーラー表示板３の色調は、薄い黒色から灰色の色調となる。
【００２８】
また、前述した様に、中枠５はソーラーセル４を有するモジュール６を時計ケース１に固定する機能を有している。更に、前記中枠５は、前記ソーラーセル４の色と同一色調にすることにより、中枠５とソーラーセル４とが一体的に見え、前述した第１の実施の形態（ソーラー表示板３との補色関係）及び第２の実施の形態（中間部材１１との補色関係）の際に極めて有効である。
【００２９】
また、前述した中間部材１１は、樹脂からなり、前記ソーラー表示板３とソーラーセル４又は中枠５との間で上下方向に挟持され固定されている。また、中間部材１１は、ソーラー表示板３の固定方法と同様に、中間部材１１の外周に複数の切欠きを設け、この切欠きを中枠５の突起５ａに係合固定させても良い。
【００３０】
また、図３に示す様に、前記中間部材１１とソーラー表示板３との間にリング状のスペーサー１２を配設するのは、中間部材１１とソーラー表示板３とが密着し相互の表面状態によりできた隙間にて生ずる干渉模様を防止することができる。前記スペーサー１２の配設する場所は、上記した中間部材１１とソーラー表示板３の間、中間部材１１とソーラーセル４の間、中間部材１１と中枠５の間の中の少なくとも１つに配設することが干渉模様の防止に有効である。
【００３１】
【発明の効果】
以上述べた様に、ソーラーセルの色と補色の関係にあるソーラー表示板、中間部材、また、ソーラー表示板の色と補色の関係にある中間部材を配設する構造により、ソーラーセルの独特の濃紫色や分割線が見え難くなり、製品の外観品質が向上する。
【００３２】
また、簡単な表示構造で、薄い黒色から灰色の表示が出現できる。外観イメージが向上する。
【００３３】
また、ソーラーセルと中枠及びその間の境界線が見え難くなり、見栄えが良くなる。更に、スペーサーを配設することで、干渉模様がなくなり外観品質が向上する。
【００３４】
以上述べたように、ソーラーセルの持つ濃紫色及び分割線（一般に十字線）による違和感を少なくし、ソーラーセルの十分な発電量を確保できるソーラー時計の表示装置構造を提供することができる。
【図面の簡単な説明】
【図１】本発明の第１の実施の形態に係わるソーラー時計の表示装置構造の要部断面図である。
【図２】本発明の第２の実施の形態に係わるソーラー時計の表示装置構造の要部断面図である。
【図３】本発明の第３の実施の形態に係わるソーラー時計の表示装置構造の要部断面図である。
【図４】従来のソーラーセルを備えたソーラー時計の外観を示す平面図である。
【図５】図４のソーラー時計の表示装置構造を示す要部断面図である。
【符号の説明】
１  ケース
２  カバーガラス
３  ソーラー表示板
３ａ  切欠き
４  ソーラーセル
５  中枠
５ａ  突起
６  モジュール
１０  ソーラー時計
１１  中間部材
１２  スペーサー
【図１】
0004503772.tif 000002
【図２】
0004503772.tif 000003
【図３】
0004503772.tif 000004
【図４】
0004503772.tif 000005
【図５】
0004503772.tif 000006